(57)【要約】      （修正有）【課題】使用するＬＥＤの個数を減らし、製造コストの安価な合図灯を提供する。【解決手段】白色を含む３色以上の合図色を表示する合図灯１であって、白色用の白熱電球２と、白色を除く他の合図色用の有色ＬＥＤ３１，３２と、前記白熱電球と各有色ＬＥＤとを切り替えて点灯させる切替点灯手段４１，４２と、を備える。白色を含む３色以上の合図色のうち、白色は白熱電球により表示させるようにしたため、白色を表示させるためのＬＥＤが不要となり、使用するＬＥＤの個数を減らすことができ、製造コストの安価な合図灯を提供できる。【選択図】図１
0003112736.tif 000002
【実用新案登録請求の範囲】
【請求項１】
白色を含む３色以上の合図色を表示する合図灯であって、
白色用の白熱電球と、
白色を除く他の合図色用の有色ＬＥＤと、
前記白熱電球と各有色ＬＥＤとを切り替えて点灯させる切替点灯手段と、
を備えたことを特徴とする合図灯。
【請求項２】
切替点灯手段は、白熱電球を点灯消灯させる白熱電球用スイッチ手段と、各合図色の有色ＬＥＤを点灯消灯させる有色ＬＥＤ用スイッチ手段とを備えたことを特徴とする請求項１に記載の合図灯。
【請求項３】
白熱電球が略中心位置に設けられ、白熱電球からの光を反射部に反射させて集光し表示するとともに、前記反射部に有色ＬＥＤを配設する、集光部を備えたことを特徴とする請求項１から２のいずれか１項に記載の合図灯。
【請求項４】
集光部に設けられる白熱電球を中心とする仮想円周上に、異なる合図色用の有色ＬＥＤを交互に配設したことを特徴とする請求項３に記載の合図灯。
【請求項５】
白熱電球からの光を集光部によって集光し表示する方向と、有色ＬＥＤの中心軸方向とを略一致させたことを特徴とする請求項３から４のいずれか１項に記載の合図灯。
【請求項６】
集光部の前方を覆い、点灯された合図色を透過させる集光部カバーと、電源電池交換のための蓋部と、を有し、前記集光部カバー及び蓋部の取付部分を被覆する防水用部材を設けたことを特徴とする請求項３から５のいずれか１項に記載の合図灯。
【考案の詳細な説明】
【技術分野】
【０００１】
本考案は、列車運行業務等において使用される合図灯に関する。
【背景技術】
【０００２】
合図灯は、複数の合図色を切り替えて表示させるものであり、列車運行業務等における信号手段として用いられている。例えば、駅では、駅従業員が車掌に対してホームの状況を連絡するために用いている。また、列車には非常時に備えて合図灯が搭載されており、非常時には列車乗務員が他の列車等に合図を送るために用いている。
【０００３】
従来、ＬＥＤを用いた合図灯が開発されるまでは、白熱電球のみを用いた合図灯が用いられていた。白熱電球のみを用いた合図灯では、白熱電球が１個設けられ、白熱電球に隣接して赤色フィルタ及び青色フィルタが設けられており、赤色の合図色を表示する場合は白熱電球の前に赤色フィルタを移動させ、赤色フィルタに光を透過させて赤色の合図色を表示する。赤色から青色の合図色に表示を切り替える場合は白熱電球の前に赤色フィルタに代えて青色フィルタを移動させ、青色フィルタに光を透過させて青色の合図色を表示する。白色の合図色を表示する場合は、白熱電球の前から両フィルタを離隔させ、フィルタを透過させずに白熱電球の光をそのまま白色の合図色として表示する。
【０００４】
しかしながら近年、白熱電球のみを用いた合図灯に代わり、ＬＥＤのみを用いた合図灯が開発されている。ＬＥＤのみを用いた合図灯としては、赤色ＬＥＤ、青色ＬＥＤ、白色ＬＥＤの３色のＬＥＤを散在配置し、電源電池から電流を供給し、各色ＬＥＤを切替点灯するようにした合図灯が知られている（例えば、特許文献１参照。）。
【０００５】
ＬＥＤのみを用いた合図灯は、白熱電球のみを用いた合図灯と比較して以下のような利点がある。第１に、ＬＥＤの消費電力は白熱電球と比較すると小さいため、同じ電源電池を用いた場合であっても、ＬＥＤのみを用いた合図灯は、白熱電球のみを用いた合図灯より長時間点灯することができる。第２に、ＬＥＤの寿命は白熱電球より長いため、球切れを生じることなく長期間に渡って合図灯を使用することができる。第３に、赤色ＬＥＤ、青色ＬＥＤはそれ自体有色であり、白熱電球のみを用いた合図灯の場合のように、赤色や青色のフィルターを切り替えて赤色や青色を表示する必要がなく、フィルターが不要であるから、合図灯の構造が簡単になる。
【特許文献１】特開２０００−２１２０３号公報
【考案の開示】
【考案が解決しようとする課題】
【０００６】
ＬＥＤのみを用いた合図灯は、白熱電球のみを使用した合図灯と比較すると、上記のような利点がある。しかしながら、ＬＥＤは白熱電球に比べて高価である。従って、合図色の全てをＬＥＤで表示させるようにすると、ＬＥＤを多数使用する必要があり、合図灯の製造コストが高価になるという問題がある。
【０００７】
本考案は、前記の問題点に鑑みてなされたものであって、その目的は、使用するＬＥＤの個数を減らし、製造コストの安価な合図灯を提供することである。
【課題を解決するための手段】
【０００８】
前記目的を達成するため、請求項１に記載の考案では、白色を含む３色以上の合図色を表示する合図灯であって、
白色用の白熱電球と、
白色を除く他の合図色用の有色ＬＥＤと、
前記白熱電球と各有色ＬＥＤとを切り替えて点灯させる切替点灯手段と、
を備えた。
【０００９】
請求項２に記載の考案では、請求項１に記載の考案において、切替点灯手段は、白熱電球を点灯消灯させる白熱電球用スイッチ手段と、各合図色の有色ＬＥＤを点灯消灯させる有色ＬＥＤ用スイッチ手段とを備えた。
【００１０】
請求項３に記載の考案では、請求項１から２のいずれか１項に記載の考案において、白熱電球が略中心位置に設けられ、白熱電球からの光を反射部に反射させて集光し表示するとともに、前記反射部に有色ＬＥＤを配設する、集光部を備えた。
【００１１】
請求項４に記載の考案では、請求項１から３のいずれか１項に記載の考案において、集光部に設けられる白熱電球を中心とする仮想円周上に、異なる合図色用の有色ＬＥＤを交互に配設した。
【００１２】
請求項５に記載の考案では、請求項１から４のいずれか１項に記載の考案において、白熱電球からの光を集光部によって集光し表示する方向と、有色ＬＥＤの中心軸方向とを略一致させた。
【００１３】
請求項６に記載の考案では、請求項１から５のいずれか１項に記載の考案において、集光部の前方を覆い、点灯された合図色を透過させる集光部カバーと、電源電池交換のための蓋部と、を有し、前記集光部カバー及び蓋部の取付部分を被覆する防水用部材を設けた。
【００１４】
（作用）
従って、請求項１に記載の考案では、白色用の白熱電球と、白色を除く他の合図色用の有色ＬＥＤとを備えており、合図色のうち白色は白熱電球により表示させ、白色を除く他の合図色は有色ＬＥＤで表示させる。また、切替点灯手段により、白熱電球と各有色ＬＥＤとを切り替えて点灯させ、合図色を切り替える。
【００１５】
請求項２に記載の考案では、白熱電球用スイッチ手段により白熱電球を点灯及び消灯させ、有色ＬＥＤ用スイッチ手段により各合図色の有色ＬＥＤを点灯及び消灯させる。
【００１６】
請求項３に記載の考案では、白熱電球を点灯させると、集光部が白熱電球からの光を反射部に反射させて集光し表示して、合図色のうち白色を表示させる。
【００１７】
請求項４に記載の考案では、集光部に設けられる白熱電球を中心とする仮想円周上に、異なる合図色用の有色ＬＥＤを交互に配設しているため、各合図色用の有色ＬＥＤを点灯させることにより、各合図色が仮想円周上に表示される。
【００１８】
請求項５に記載の考案では、白熱電球からの光を集光部によって集光し表示する方向と、有色ＬＥＤの中心軸方向とを略一致させているため、各合図色は略同一方向に表示される。
【００１９】
請求項６に記載の考案では、集光部カバー及び蓋部の取付部分を被覆する防水用部材を設けているため、集光部カバー及び蓋部の取付部分からの水分の侵入を防止する。
【考案の効果】
【００２０】
以上詳述したように請求項１から請求項６に記載の考案によれば、白色を含む３色以上の合図色のうち、白色は白熱電球により表示させるようにしたため、白色を表示させるためのＬＥＤが不要となり、使用するＬＥＤの個数を減らすことができ、製造コストの安価な合図灯を提供することができる。
また、白色を含む３色以上の合図色のうち、白色を除く他の合図色は有色ＬＥＤを切り替えて表示するため、白熱電球のみを用いた合図灯より消費電力は小さく、白熱電球のみを用いた合図灯より長時間点灯することができる。
また、白熱電球のみを用いた合図灯のように１個の白熱電球を点灯し続けるのではなく、白色を含む３色以上の合図色のうち、白色を除く他の合図色は有色ＬＥＤを切り替えて表示するため、白熱電球の点灯回数は少なくなり、白熱電球のみを用いた合図灯より長期間に渡って合図灯を使用することができる。
また、白色を含む３色以上の合図色のうち、白色を除く他の合図色は有色ＬＥＤを切り替えて表示するため、白色を除く他の合図色についてはＬＥＤ自体の色で合図色を表示できる。このため、合図色を表示するためのフィルターは不要であり、合図灯の構造が簡単になる。
【００２１】
請求項２に記載の考案によれば、白熱電球用スイッチ手段により白熱電球を点灯させて白色の合図色を表示させることができ、有色ＬＥＤ用スイッチ手段により各合図色の有色ＬＥＤを点灯させて白色を除く他の合図色を表示させることができる。また、白熱電球用スイッチ手段による白熱電球の点灯と消灯、及び有色ＬＥＤ用スイッチ手段による各合図色の有色ＬＥＤの点灯と消灯を切り替えることにより、合図色を切り替えることができる。
【００２２】
請求項３に記載の考案によれば、白熱電球を点灯させることにより、集光部が白熱電球からの光を反射部に反射させて集光し表示するため、合図色のうち白色を表示させることができるとともに、合図灯を懐中電灯としても使用することができる。
【００２３】
請求項４に記載の考案によれば、各合図色用の有色ＬＥＤを点灯させると各合図色が仮想円周上に表示され、各合図色が大きく表示されるため、視認性のよい合図灯とすることができる。
【００２４】
請求項５に記載の考案によれば、各合図色は略同一方向に表示されるため、切替点灯手段で切り替えた合図色を略同一方向に向けて表示させることができる。
【００２５】
請求項６に記載の考案によれば、集光部カバー及び蓋部の取付部分からの水分の侵入を防止していることにより、雨中など水滴が付着するような環境においても合図灯を使用することができる。
【考案を実施するための最良の形態】
【００２６】
本考案を具体化した実施形態について図１から図４に従って説明する。
【実施例】
【００２７】
本考案の実施例に係る合図灯１は、白色、赤色、青色の３色の合図色を表示する合図灯である。図１に示すように、合図灯１は、合図灯本体１１、集光部５、白色用の白熱電球としてのクリプトン球２、合図色用の有色ＬＥＤとしての赤色ＬＥＤ３１及び青色ＬＥＤ３２、切替点灯手段（図示せず）、集光部カバー６、蓋部７、防水用部材８を有する。
【００２８】
図１に示すように、合図灯本体１１は、略筒形状である。合図灯本体１１の一端部には前記集光部５と集光部カバー６とを取り付ける開口部（図２参照。）を設け、他端部には電源電池を出し入れして交換を行なうための開口部（図示せず）を設ける。合図灯本体１１には、切替点灯手段の配線（図示せず）が収容されている。
【００２９】
前記集光部５は、クリプトン球２が設けられ、クリプトン球２からの光を集光し表示するとともに、赤色ＬＥＤ３１及び青色ＬＥＤ３２が配設される部分である。図２に示すように、集光部５は略半球状に窪んだ形状であり、窪んだ形状の内側には反射部５１が設けられている。反射部５１の表面は鏡面加工されている。集光部５の略中央部にはクリプトン球２を取り付けるための円形の取付孔５２が形成されている。クリプトン球２の取付位置を中心とする仮想円周上であって、反射部５１上には、赤色ＬＥＤ３１及び青色ＬＥＤ３２を取り付けるための取付孔５３が等間隔に８箇所設けられている。
【００３０】
白熱電球としてのクリプトン球２は、白色の合図色を表示するためのものである。クリプトン球２は合図灯本体１１の前記切替点灯手段に接続され、図２に示すように、前記集光部５の略中央部に設けられた円形の取付孔５２に設けられる。
【００３１】
有色ＬＥＤとしての赤色ＬＥＤ３１は、赤色の合図色を表示するものであり、有色ＬＥＤとしての青色ＬＥＤ３２は、青色の合図色を表示するものである。赤色ＬＥＤ３１と青色ＬＥＤ３２の数量はそれぞれ４個である。赤色ＬＥＤ３１と青色ＬＥＤ３２はそれぞれ前記切替点灯手段に接続されて、図２に示すように、集光部５の反射部５１に設けられた、赤色ＬＥＤ３１及び青色ＬＥＤ３２を取り付けるための取付孔５３に取り付けられる。取付孔５３への取り付けは、赤色ＬＥＤ３１と青色ＬＥＤ３２とが交互に隣接するように取り付ける。また、赤色ＬＥＤ３１と青色ＬＥＤ３２の中心軸方向が、クリプトン球２からの光を集光部５によって集光し表示する方向と略一致するように取り付ける。
【００３２】
切替点灯手段は前記クリプトン球２、赤色ＬＥＤ３１及び青色ＬＥＤ３２とを切り替えて点灯させる手段である。図４に示すように、切替点灯手段は、クリプトン球２を点灯消灯させる白熱電球用スイッチ手段４１と、赤色ＬＥＤ３１と赤色ＬＥＤ３１とを点灯消灯させる有色ＬＥＤ用スイッチ手段４２とを有する。白熱電球用スイッチ手段４１はスライド式のスイッチであり、合図灯本体１１に対して前後に進退させることにより、クリプトン球２を点灯消灯させる。有色ＬＥＤ用スイッチ手段４２は、赤色ＬＥＤ３１と赤色ＬＥＤ３１の点灯と消灯を切り替えるスイッチである。図３において、有色ＬＥＤ用スイッチ手段４２を左側に押圧すると、赤色ＬＥＤ３１のみが点灯し、右側に押圧すると、青色ＬＥＤ３２のみが点灯し、中立状態では、赤色ＬＥＤ３１と青色ＬＥＤ３２の双方が消灯される。尚、白熱電球用スイッチ手段４１と有色ＬＥＤ用スイッチ手段４２は独立しているため、必要に応じてクリプトン球２と有色ＬＥＤとを両方同時に点灯させることも可能である。また、切替点灯手段には電源電池が接続される。電源電池は一次電池、二次電池のいずれでもよい。
【００３３】
図２に示すように、集光部カバー６は、前記集光部５の前方を覆い、点灯された合図色を透過させる部分である。合図灯本体１１の集光部５の側には雄ネジ部が形成されており、集光部カバー６はこの雄ネジに螺合して取り付けられる。
【００３４】
蓋部７は、電源電池を出し入れして交換を行なうために合図灯本体１１に設けられた開口部（図示せず）に取り付けられ、開口部を閉塞するための部分である。電源電池を出し入れして交換を行なうための開口部の周囲には雄ネジが形成されており、蓋部７はこの雄ネジに螺合して取り付けられる。電源電池の交換は、合図灯本体１１から蓋部７を取り外して行なわれる。
【００３５】
防水用部材８は、合図灯本体１１と集光部カバー６の取り付け部分及び、合図灯本体１１と蓋部７の取り付け部分を被覆して防水性を担保するための部分である。防水部材は、ゴム製の管状体や、ゴムシートなど、耐水性と可撓性のある部材が好ましく、合図灯本体１１と集光部カバー６の取り付け部分及び、合図灯本体１１と蓋部７の取り付け部分を被覆して締め付けるように取り付ける。
【００３６】
以上説明した本実施例に係る合図灯１によれば、以下の効果を有する。
【００３７】
白色、赤色、青色の３色の合図色のうち、白色は白熱電球としてのクリプトン球２により表示させるようにしたため、白色を表示させるためのＬＥＤが不要となり、使用するＬＥＤの個数を減らすことができ、合図灯１を安価に提供することができる。
【００３８】
白色、赤色、青色の３色の合図色のうち、赤色と青色の合図色は有色ＬＥＤを切り替えて表示するため、白熱電球のみを用いた合図灯より消費電力は小さく、白熱電球のみを用いた合図灯より長時間点灯することができる。
【００３９】
白熱電球のみを用いた合図灯のように１個の白熱電球を点灯し続けるのではなく、白色、赤色、青色の３色の合図色のうち、赤色、青色の合図色は有色ＬＥＤを切り替えて表示するため、クリプトン球２の点灯回数は少なくなり、白熱電球のみを用いた合図灯より長期間に渡って合図灯１を使用することができる。
【００４０】
白色、赤色、青色の３色の合図色のうち、赤色、青色の合図色は有色ＬＥＤを切り替えて表示するため、赤色、青色の合図色についてはＬＥＤ自体の色で合図色を表示できる。このため、合図色を表示するためのフィルターは不要であり、合図灯１の構造が簡単になる。
【００４１】
白熱電球用スイッチ手段４１によりクリプトン球２を点灯させて白色の合図色を表示させることができ、有色ＬＥＤ用スイッチ手段４２により赤色、青色のＬＥＤを点灯させて赤色、青色の合図色を表示させることができる。また、白熱電球用スイッチ手段４１によるクリプトン球２の点灯と消灯、及び有色ＬＥＤ用スイッチ手段４２による赤色と青色のＬＥＤの点灯と消灯を切り替えることにより、合図色を切り替えることができる。
【００４２】
クリプトン球２を点灯させることにより、集光部５がクリプトン球２からの光を反射部５１に反射させて集光し表示するため、合図色のうち白色を表示させることができるとともに、合図灯１を懐中電灯としても使用することができる。
【００４３】
赤色、青色のＬＥＤを点灯させると赤色、青色の各合図色が仮想円周上に表示され、各合図色が大きく表示されるため、視認性のよい合図灯１とすることができる。
【００４４】
白色、赤色、青色の３色の合図色は略同一方向に表示されるため、切替点灯手段で切り替えた合図色を略同一方向に向けて表示させることができる。
【００４５】
集光部カバー６及び蓋部７の取付部分からの水分の侵入を防止していることにより、雨中など水滴が付着するような環境においても合図灯１を使用することができる。
【００４６】
白色の合図色を表示させるクリプトン球２以外に、赤色、青色の合図色を表示させるＬＥＤが設けられているため、例えば白色のクリプトン球２が球切れしても、赤色、青色の合図色を表示する合図灯１としての機能を確保することができる。
【００４７】
ＬＥＤを用いた合図灯１では、合図灯１の表示面にＬＥＤを散在配置させることが必要である。合図色の全てをＬＥＤで表示させた場合、多数のＬＥＤを散在配置させるための大型の表示面が必要となる。しかし、合図灯１では、白色、赤色、青色の３色の合図色のうち、白色は白熱電球としてのクリプトン球２により表示させるようにしたため、白色を表示させるためのＬＥＤが不要となり、使用するＬＥＤの個数を減らすことができる。このため、合図灯１の表示面の大型化を阻止して重量を抑えるとともに、携帯性を確保することができる。
【００４８】
なお、実施の形態は上記に限定されるものではなく、以下のように変更してもよい。
【００４９】
合図色を表示するためのＬＥＤの数量はそれぞれ同数でなくてもよく、合図色毎に数量を適宜変更してよい。尚、ＬＥＤの数量は合図色毎に４から６個程度が好ましい。
【００５０】
ＬＥＤは、集光部に設けられる白熱電球を中心とする仮想円周上に設けたが、仮想円周上に設けなくてもよく、適宜の位置及び間隔で配設してもよい。
【００５１】
合図色は３色でなくてもよく、必要に応じて４色以上としてもよい。
【図面の簡単な説明】
【００５２】
【図１】本考案の実施例に係る合図灯１の斜視簡略図である。
【図２】合図灯１の一部を切除し、一部を省略した側面簡略図である。
【図３】合図灯１の正面簡略図である。
【図４】切替点灯手段の配線図である。
【符号の説明】
【００５３】
１      合図灯
１１    合図灯本体
２      白熱電球としてのクリプトン球
３１    有色ＬＥＤとしての赤色ＬＥＤ
３２    有色ＬＥＤとしての青色ＬＥＤ
４１    白熱電球用スイッチ手段
４２    有色ＬＥＤ用スイッチ手段
５      集光部
５１    反射部
５２    クリプトン球を取り付けるための取付孔
５３    赤色ＬＥＤ及び青色ＬＥＤを取り付けるための取付孔
６      集光部カバー
７      蓋部
８      防水用部材
【図１】
0003112736.tif 000003
【図２】
0003112736.tif 000004
【図３】
0003112736.tif 000005
【図４】
0003112736.tif 000006